(57)【要約】【課題】ヘルメットを着用した際、内部における頭部の重心のバランスが悪かった。【解決手段】ヘルメット本体の内側に備えるヘッドバンドであって、前頭部と後頭部の二つ又は前頭部、右側方後部、左側方後部の三つのバンドを、各バンドの端部同士を係止させてリング状に構成したものであって、左側頭部と右側頭部とに又は後頭部、右側方前部、左側方前部の夫々に周長調節部を備えて各バンドの端部同士の係止位置を調節することができるものとした。両端部に周長調節部を備えない前頭部バンドに、吸汗材を脱着可能に取り付け可能とした。また、周長調節部が、本体と、係止爪と押圧部とを備える操作板とを備え、対向するバンドの端部には、前記係止爪と噛み合う係止溝を多数形成し、指掛け部をも備えるものとした。また、それらをヘルメット本体の内側に備えるヘルメット。【選択図】      図１
2004292978.tif 000002
【特許請求の範囲】
【請求項１】
ヘルメット本体（４）の内側に備えるリング状のヘッドバンド（１）が前頭部バンドと後頭部バンドとの二本のバンド（２）から構成され、両バンド（２）は端部同士を連結することによりリング状に形成され、両バンドの連結部に周長調節部（３）が設けられ、周長調節部（３）の調節によりヘッドバンド（１）の周長を調節可能であると共に、ヘッドバンド（１）をヘルメット本体（４）の中心部に位置させることが可能であることを特徴とするヘルメット用ヘッドバンド。
【請求項２】
ヘルメット本体（４）の内側に備えるリング状のヘッドバンド（１）が前頭部バンド（２ａ）と、右側方後部バンド（２ｂ）と、左側方後部バンド（２ｃ）との三本のバンド（２）から構成され、三本のバンド（２）は端部同士を連結することによりリング状に形成され、三本のバンド（２）の連結部に周長調節部（３）が設けられ、周長調節部（３）の調節によりヘッドバンド（１）の周長を調節可能であると共に、ヘッドバンド（１）をヘルメット本体（４）の中心部に位置させることが可能であることを特徴とするヘルメット用ヘッドバンド。
【請求項３】
前記請求項１又は請求項２記載のヘルメット用ヘッドバンドにおいて、前頭部バンド（２ａ）に吸汗材（６）を脱着可能であることを特徴とするヘルメット用ヘッドバンド。
【請求項４】
請求項１乃至請求項３のいずれかに記載のヘルメット用ヘッドバンドにおいて、周長調節部（３）は二本又は三本のバンド（２）の一端に形成された連結雌部（３ｂ）と他端に形成されて連結雌部（３ｂ）と脱着可能な連結雄部（３ａ）とから構成されることを特徴とするヘルメット用ヘッドバンド。
【請求項５】
請求項４記載のヘルメット用ヘッドバンドにおいて、連結雌部（３ｂ）は差込空間（１８）と係止爪（２４）と係止爪（２４）を操作可能な操作部（１６）とを有し、連結雄部（３ａ）は連結雌部（３ｂ）の差込空間（１８）に差し込まれる差込み端部（３０）に波形の係止溝（８）が形成され、前記差込空間（１８）に前記差込み端部（３０）を差し込むと所望位置の係止溝（８）が係止爪（２４）に係止し、係止爪（２４）と係止溝（８）との係止は前記操作部（１６）の操作により係止爪（２４）を操作することにより解除可能であることを特徴とするヘルメット用ヘッドバンド。
【請求項６】
請求項１乃至請求項５のいずれかに記載のヘルメット用ヘッドバンドにおいて、連結雌部（３ｂ）と連結雄部（３ａ）とに、連結雄部（３ａ）の差込み端部（３０）を連結雌部（３ｂ）の差込空間（１８）に差し込むための指掛け部（１０、２１）が形成されたことを特徴とするヘルメット用ヘッドバンド。
【請求項７】
請求項１乃至請求項６のいずれかに記載のヘルメット用ヘッドバンドをヘルメット本体の内側に備えたことを特徴とするヘルメット。
【発明の詳細な説明】
【０００１】
【発明の属する技術分野】
本発明はヘルメットのヘッドバンドと、それを使用したヘルメットに関するものである。
【０００２】
【従来の技術】
従来、工場や工事現場等の作業現場で働く者は、作業用ヘルメットを被って作業をする事が殆どである。そのヘルメットは略帽子型のヘルメット本体の内側に、着用者の頭部に被せるリング状のヘッドバンドが取付けられており、そのヘッドバンドの後頭部側に操作部を備え、操作部によってヘッドバンドの周長を調節可能としてある。ヘッドバンドの周長の調節は他の方法、即ち、ヘッドバンドの一端に小突起を複数個備え、他端に前記小突起を差し込む小孔を多数個開口し、小突起の差し込み位置を変えることによっても行っていた。（両方法は共に特許文献１を参照）。
【０００３】
【特許文献１】
特開２０００−５０９０９号公報。
【０００４】
【発明が解決しようとする課題】
しかし、前記した従来のヘルメットには次のような課題がある。
（１）操作部がヘッドバンドの後頭部側にしか設けられていないため、操作部を操作して周長を調節すると前頭部側はそのままで後頭部側のみが縮径されたり拡径されたりするため、ヘルメット本体を基準にした場合、ヘッドバンドの後頭部が前後に移動した状態になり、ヘッドバンドの中心がヘルメット本体の中心から位置ずれする。このため、着用したヘルメット本体の中心が頭の中心より前後に位置ずれしてヘルメットのバランスが悪くなり、被り心地が悪く、作業性に悪影響が及ぶことがある。また、ヘルメットに衝撃が加わると頭から外れ易くもなる。
（２）ヘルメットを着用した作業者は作業中に汗をかく。とりわけ額及び前頭部に多くの汗をかく。その汗がヘッドバンドに付着して作業者が不快感を感じる。また、多くの汗をかくと汗がヘッドバンドから流れ落ちて目に入ったりして、作業しにくくなったり作業を誤る原因となったり、汗で濡れたヘッドバンドが頭部から滑りやすくなり、ずれたり脱落したりする可能性もある。これらを防止するために布やタオルを頭に巻いた上でヘルメットを着用する場合もあるが、それでは頭に重さを感じて被り心地が悪くなったり、バランスが悪くなったりして、作業性の低下に繋がる。
【０００５】
【課題を解決するための手段】
本発明の目的は、上記諸課題を解消し、ヘッドバンド全体の周長調整が可能であり、前頭部に吸汗材を着脱可能なヘルメットを提供することである。
【０００６】
本件出願の請求項１記載のヘルメット用ヘッドバンドは、ヘルメット本体４の内側に備えるリング状のヘッドバンド１が前頭部バンドと後頭部バンドとの二本のバンド２から構成され、両バンド２は端部同士を連結することによりリング状に形成され、両バンドの連結部に周長調節部３が設けられ、周長調節部３の調節によりヘッドバンド１の周長を調節可能であると共に、ヘッドバンド１をヘルメット本体４の中心部に位置させることを可能としたものである。
【０００７】
本件出願の請求項２記載のヘルメット用ヘッドバンドは、ヘルメット本体４の内側に備えるリング状のヘッドバンド１が前頭部バンド２ａと、右側方後部バンド２ｂと、左側方後部バンド２ｃとの三本のバンド２から構成され、三本のバンド２は端部同士を連結することによりリング状に形成され、三本のバンド２の連結部に周長調節部３が設けられ、周長調節部３の調節によりヘッドバンド１の周長を調節可能であると共に、ヘッドバンド１をヘルメット本体４の中心部に位置させることを可能としたものである。
【０００８】
本件出願の請求項３記載のヘルメット用ヘッドバンドは、請求項１又は請求項２記載のヘルメット用ヘッドバンドにおいて、前頭部バンド２ａに吸汗材６を脱着可能としたものである。
【０００９】
本件出願の請求項４記載のヘルメット用ヘッドバンドは、請求項１乃至請求項３のいずれかに記載のヘルメット用ヘッドバンドにおいて、周長調節部３は二本又は三本のバンド２の一端に形成された連結雌部３ｂと他端に形成されて連結雌部３ｂと脱着可能な連結雄部３ａとから構成されるものである。
【００１０】
本件出願の請求項５記載のヘルメット用ヘッドバンドは、請求項４記載のヘルメット用ヘッドバンドにおいて、連結雌部３ｂは差込空間１８と係止爪２４と係止爪２４を操作可能な操作部１６とを有し、連結雄部３ａは連結雌部３ｂの差込空間１８に差し込まれる差込み端部３０に波形の係止溝８が形成され、前記差込空間１８に前記差込み端部３０を差し込むと所望位置の係止溝８が係止爪２４に係止し、係止爪２４と係止溝８との係止は前記操作部１６の操作により係止爪２４を操作することにより解除可能なものである。
【００１１】
本件出願の請求項６記載のヘルメット用ヘッドバンドは、請求項１乃至請求項５のいずれかに記載のヘルメット用ヘッドバンドにおいて、連結雌部３ｂと連結雄部３ａとに、連結雄部３ａの差込み端部３０を連結雌部３ｂの差込空間１８に差し込むための指掛け部１０、２１が形成されたものである。
【００１２】
本件出願の請求項７記載のヘルメットは、請求項１乃至請求項６のいずれかに記載のヘルメット用ヘッドバンドをヘルメット本体の内側に備えたものである。
【００１３】
【発明の実施の形態】
（実施形態１）
本発明のヘルメット用ヘッドバンド及びそれを用いたヘルメットの実施形態の一例について、図面を用いて説明する。図１に示すヘッドバンド１は、前頭部バンド２ａ、右側方後部バンド２ｂ、左側方後部バンド２ｃの三つのバンド２を組合わせて構成されている。このヘッドバンド１は図２に示すように、各バンド２の端部同士を連結させてリング状に形成し、後頭部、右側方前部、左側方前部の夫々に周長調節部３を備えて各バンド２の端部同士の係止位置を調節することができる。本実施形態では、図２に示すように、ヘッドバンド１は、ヘルメット本体４の内部に備えられたハンモック５に取り付けて、ヘルメット本体４の内部に備えることができる。またヘッドバンド１は、図２に示すように、周長調節部３で各バンド２の端部同士の係止位置を調節することでヘッドバンド１の周長を調節することができる（図中三点鎖線部参照）。
【００１４】
前記周長調節部３は、図１に示すように、連結雄部３ａと連結雌部３ｂとを組み合せてなる。本実施形態において連結雄部３ａは、バンド２の端部の外周面に係止溝８を多数段に形成した係止溝帯９を備えた差込み端部３０をいう。また連結雌部３ｂは、バンド２の端部の外周面から操作部１６によって係止爪２４を操作し、係止を解除することができるバックル３１をいう。
【００１５】
前記前頭部バンド２ａは、図１に示すように、吸汗材６を備える樹脂製の部材であって、幅をもつ細長に形成されている。前頭部バンド２ａには両端部ともに、外周面に係止溝８を多数段に形成した係止溝帯９が形成された差込み端部３０が形成されている。
【００１６】
前記右側方後部バンド２ｂは、図１に示すように、樹脂製の部材であって、幅をもつ細長に形成されている。右側方後部バンド２ｂには両端部ともに、外周面にはバックル３１が備えられている。また、本実施形態における右側方後部バンド２ｂには、その右側頭部付近及び右側方後部付近の二箇所の上縁に、係止用突起１１を備える留め具１２が一体に形成されている。
【００１７】
前記左側方後部バンド２ｃは、図１に示すように、樹脂製の部材であって、幅をもつ細長に形成されている。左側方後部バンド２ｃは、左側頭部側の端部には前記バックル３１が形成され、後頭部側の端部には前記差込み端部３０が形成されている。なお、左側方後部バンド２ｃにおける差込み端部３０においては、バンド外周面中係止溝帯９の終端部の係止溝は、指掛け部１０として使用される（図４（ａ）（ｂ）参照）。また、本実施形態における左側方後部バンド２ｃには、その左側頭部付近及び左側方後部付近の二箇所の上縁に、係止用突起１１を備える留め具１２が一体に形成されている。
【００１８】
前記吸汗材６は、図３に示すようにタオル地等の吸汗性に優れた材質製であって筒型に成形され、その貫通孔に前記前頭部バンド２ａを貫通させることができるようにしてある。同図に示すように、吸汗材６は前記前頭部バンド２ａよりも短くして前記前頭部バンド２ａの両差込み端部３０が突出する長さにしてある。吸汗材６は前記前頭部バンド２ａから抜いて取り外すことができる。吸汗材６としては吸水性を有すれば、例えばスポンジ、皮革等どのようなものであっても用いることができる。
【００１９】
前記差込み端部３０の係止溝帯９は、図４（ａ）（ｂ）に示すように、多数段の係止溝８によって形成されている。係止溝８は、断面が、テーパ面と垂直壁面とで構成されるいわゆる鋸歯状に形成されている。また、本実施形態においては、指掛け部１０は、係止溝帯９の終端部の係止溝を指掛け部１０としており、他の係止溝８と同様の形状としている。なお、指掛け部１０の形状はこれには限られず、係止溝帯９の終端部の係止溝を大きく成形したり、丸棒状にしたり、指を掛けやすい形状とすることもできる。さらに、指を掛けられればバンド２の、係止溝帯９の長手方向後方の外周面に、半円形の突起を突設したり、穴を開口させてもよい。
【００２０】
前記バックル３１は、図４（ａ）（ｂ）に示すように、バンド２の外周面に一体に形成される本体１５内に、操作部１６と、底板１７とを備える。前記本体１５は、略箱型の中空に形成され、バンド２の長手方向側の二面には、前記係止溝帯９を備えるバンド２を挿通するための差込空間１８が開口されている。本体１５の外周面１９には、押ボタン挿通口２０が開口され、また、本体１５のバンド２出口側の端部は、指掛け部２１として使用することができる。
【００２１】
操作部１６は、図４（ｂ）に示すように、軸２２によって本体１５内で、本体１５の外周面１９に水平に取り付けられた板状の部材であって、押ボタン２３と、係止爪２４とを備える。前記押ボタン２３は、本体１５外周面１９側に部材を変形させて成形されており、前記押ボタン挿通口２０から本体１５の外周面１９に表れるようにしてある。前記係止爪２４は、部材をバンド側に突設させて成形されており、その端部は、前記鋸歯状の係止溝８と適合するテーパに成形されている。前記軸２２は、操作部１６を揺動自在に軸支するものであり、弾性を有し、且つ反復的な揺動によって破損しない部材及び形状とする。本体１５内で操作部１６は、本体１５の外周面１９に水平に取り付けられるが、その際前記係止爪２４は、図４（ｂ）に実線で示すように前記係止溝８のテーパ面と適合して係止された状態にある。従って、押ボタン２３を、本体１５外周面１９側から押圧すると、軸２２を支点に係止爪２４が持ち上がり、係止爪２４は係止溝８から外れる。押ボタン２３の押圧を解除すると、弾性によって操作部１６はもとの本体１５と水平な位置に戻り、係止爪２４は係止溝８と噛み合って係止される。
【００２２】
前記差込み端部３０とバックル３１とは、次のようにして連結される。図４（ｂ）に示すように、係止溝帯９を備えるバンド２の差込み端部３０をバックル３１の差込空間１８に進入させると、係止溝８のテーパ面と係止爪２４のテーパ面とが接触し、係止溝８が係止爪２４を押し上げて進入していく。尚、特に左側方後部バンド２ｃの差込み端部３０をバックル３１の差込空間１８に進入させる際には、バックル３１側の指掛け部２１と左側方後部バンド２ｃ側の指掛け部１０とに指を掛けて片手で進入させることができる。従って、左側方後部バンド２ｃのバックル３１への進入位置を、所望位置まで調節することができる。その時は、図４（ｂ）に示すように、係止爪２４と係止溝８とが噛み合って係止されており、前進させることはできるが、後退させることはできない。
【００２３】
また前記前記差込み端部３０とバックル３１とは、次のようにして連結解除される。前記差込み端部３０をバックル３１に挿通させた状態から、差込み端部３０をバックル３１から退出させるには、前記押しボタン２３を押圧し、操作部１６を揺動させて係止爪２４を持ち上げて係止爪２４と係止溝８との噛み合わせを解除させる。その状態下では、周長調節部３内でバンド２を自由にスライドさせることができ、その状態を保持しながらバンド２を進入方向と逆の方向へ引くと、バンド２の周長調節部３への進入位置を、所望位置まで調節することができ、また、バンド２を周長調節部３から引き抜くこともできる。
【００２４】
図２に示す前記ヘルメット本体４は略帽子型に一体成形された硬樹脂製の部材である。ヘルメット本体４の内側の開口面付近には、前頭部に二つ、後頭部に二つの計四つ、所定の間隔で取り付け溝２５が設けられている。
【００２５】
図２に示す前記ハンモック５は布製の懸架バンド２６を２本交差させて組合わせて作られており、懸架バンド２６の交差部分には、頭頂部に宛がうことができる布製の頭頂部布２７を備えている。懸架バンド２６の四つの各端部には夫々前記取り付け溝２５に取り付け可能な取り付け具２８を備える。該取り付け具２８は、前記留め具１２を係止させることもできる。ハンモック５は、取り付け具２８によって前記ヘルメット本体４の取り付け溝２５に固定されている。前記ヘッドバンド１の留め具１２は、ハンモック５の取り付け具２８に取り付けることができ、ヘッドバンド１はヘルメット本体４内部に備え付けられる。
【００２６】
（使用例）
本発明のヘルメット用ヘッドバンド及びそれを用いたヘルメットを使用するには次のようにする。
１．初めに、筒状に成形された吸汗材６に、前頭部バンド２ａを挿通させておく。
２．次に、前頭部バンド２ａ、右側方後部バンド２ｂ、左側方後部バンド２ｃの各バンド２を後頭部、右側方前部、左側方前部の夫々の周長調節部３において連結させてリング状に形成してヘッドバンド１を形成する。この時、各部の差込み端部３０とバックル３１との係止位置は浅めにしておくのが好ましい。
３．ヘルメット本体４内部のハンモック５の取り付け具２８に留め具１２を取り付けて、図２に示すように該ヘッドバンド１をヘルメット本体４内に備える。その状態でヘルメットとして着用する。
４．後頭部、右側方前部、左側方前部の夫々の周長調節部３を操作して、バンド２の係止位置を調節し、ヘッドバンド１の周長及びヘルメット本体４内部での位置や重心の位置やバランスが所望のものとなるよう調節する。
５．吸汗材６を取り替えるには、まずヘルメットを一度脱ぎ、前頭部バンド２ａを取り外す。この時、ヘッドバンド１ごと取り外すのではなく、周長調節部３を操作して、右側方後部バンド２ｂ、左側方後部バンド２ｃの各バンド２についてはヘルメット内部に備えたまま前頭部バンド２ａのみを取り外す。
６．次に、前頭部バンド２ａから、吸汗材６を取り外す。新しい吸汗材６を用意し、前頭部バンド２ａを挿通する。この場合、既に吸汗材６を取り付けた前頭部バンド２ａを複数本準備しておけば、吸汗材６が濡れた際に、既に準備してある新たな吸汗材６付の前頭部バンド２ａと順次交換することもできる。
７．前頭部バンド２ａを右側方前部、左側方前部の夫々の周長調節部３を操作して取り付けてヘッドバンド１とし、再びヘルメットとして着用する。
【００２７】
（実施形態２）
本発明のヘルメット用ヘッドバンド及びそれを用いたヘルメットの他の例について説明する。本実施形態におけるヘルメットは、ヘッドバンドが、前頭部バンドと後頭部バンドの二本のバンドをリング状に組み合わせて構成され、右側頭部と左側頭部とに夫々前記実施形態１の周長調節部３と同様の周長調節部を備え、各バンドの端部同士の係止位置を調節することでヘッドバンドの周長を調節することができるようにしてある。その他の基本的な構成については、前記実施形態１と共通する。なお、本実施形態に記載のヘルメットも、前記使用例と同様にして使用することができ、本実施形態の場合は、前頭部バンドに吸汗材を備えることができる。
【００２８】
（その他の実施形態）
前記各実施形態においては、ヘッドバンドは二本又は三本のバンドをリング状に組み合わせて構成したが、バンドは、二本又は三本には限られず、一本であっても、また三本以上であってもよい。
【００２９】
前記指掛け部は、係止溝帯の終端部の係止溝を指掛け部とすることに限られず、係止溝帯の長手方向後方のバンドの表面に、半円形や棒状、球状等の突起を備えることや、指を掛止可能な穴をバンド中に開口することもできる。指掛け部は、吸汗材を挿通する前頭部バンドについても備えることができる。また、指掛け部を設けないことも可能である。
【００３０】
周長調節部についても、前記各実施形態に記載の形状や素材には限られず、様々な形状や素材の連結雄部及び連結雌部による周長調節部とすることも可能である。例えば、連結雄部が一方のバンドの端部に小突起を複数個備えたものであり、連結雌部が他方のバンドの端部に前記小突起に適合する小孔を多数個開口したものであって、両者の係止位置を変えることによってヘッドバンドの周長を調節する周長調節部とすることも可能である。また、連結雄部は特に溝等を形成しない差込み端部であって、連結雌部が、スリットを有する本体のバックルであって、スリットにバンドを挿通させて挟着し、本体の両側面からの圧力によって、連結雄部のバンドの挟着を解除するバックルである周長調節部とすることも可能である。
【００３１】
吸汗材は、前記各実施形態に記載のように筒型で、補助バンドを挿通させる形状のものには限られず、例えば、面ファスナーを用いて補助バンドに巻き付けたり、はがしたりすることによって脱着することができる形状のもの等、脱着が可能であればどのような形状のものであってもよい。
【００３２】
その他ヘルメット本体の形状や材料についても、前記各実施形態に記載の樹脂製の略帽子型以外の形状とすることができる。ハンモックについても、布製には限られず、樹脂製等その他の材料とすることができ、形状も上記以外の形状とすることができる。また、例えばバンド等の樹脂製部材の軽量化のための穴を多数個開口すること等もできる。
【００３３】
【発明の効果】
本件出願の第１のヘルメット用ヘッドバンドには次のような効果がある。
（１）ヘルメット本体の内側に備えるリング状のヘッドバンドが前頭部バンドと後頭部バンドとの二本のバンドから構成され、両バンドは端部同士を連結することによりリング状に形成され、両バンドの連結部に周長調節部が設けられ、周長調節部の調節によりヘッドバンドの周長を調節可能であると共に、ヘッドバンドをヘルメット本体の中心部に位置させることが可能であるため、ヘルメットを着用した際、前後二方向からの調節が可能となり、ヘルメット内部における頭部の重心のバランスを保つことができ、被り心地も良くなって作業性が向上する。また、ヘルメットの装着感に応じた細かい調節が可能となって衝撃によってヘルメットが外れにくくなる。
【００３４】
本件出願の第２のヘルメット用ヘッドバンドには次のような効果がある。
（１）ヘルメット本体の内側に備えるリング状のヘッドバンドが前頭部バンドと、右側方後部バンドと、左側方後部バンドとの三本のバンドから構成され、三本のバンドは端部同士を連結することによりリング状に形成され、三本のバンドの連結部に周長調節部が設けられ、周長調節部の調節によりヘッドバンドの周長を調節可能であると共に、ヘッドバンドをヘルメット本体の中心部に位置させることが可能であるため、ヘルメットを装着した際、前頭部、左側方後部、右側方後部の三方向からの調節が可能であり、ヘルメット内部における頭部の重心のバランスがより良くなって被り心地も良くなり、作業性が向上する。また、ヘルメットの装着感に応じたより細かい調節も可能となって衝撃によってヘルメットが外れにくくなる。
【００３５】
本件出願の第３のヘルメット用ヘッドバンドには、上記各効果に加えて次のような効果がある。
（１）前頭部バンドに吸汗材を脱着可能であるため、作業中に頭部から出る汗を吸収することができ、作業者にべた付き感や不快感を感じさせず、汗でヘッドバンドが頭部から滑ったり汗が目に入ることもなく作業がし易くなる。また、手拭いやタオル等を頭部に巻く必要もなくなり、ヘルメットの装着感やバランス感に違和感もなくなり、作業性が向上する。
【００３６】
本件出願の第４のヘルメット用ヘッドバンドには、上記各効果に加えて次のような効果がある。
（１）周長調節部は二本又は三本のバンドの一端に形成された連結雌部と他端に形成されて連結雌部と脱着可能な連結雄部とから構成されるため、連結雄部と連結雌部とによって、連結位置を適宜調節することができる。
【００３７】
本件出願の第５のヘルメット用ヘッドバンドには、上記各効果に加えて次のような効果がある。
（１）連結雌部は差込空間と係止爪と係止爪を操作可能な操作部とを有し、連結雄部は連結雌部の差込空間に差し込まれる差込み端部に波形の係止溝が形成され、前記差込空間に前記差込み端部を差し込むと所望位置の係止溝が係止爪に係止されるため、バンド同士の係止位置の調節が容易で便利である。また、係止爪と係止溝とが噛み合うことで、バンドを前進させることはできるが、後退させることはできなくなって確実に係止させることができる。
（２）また、係止爪と係止溝との係止は前記操作部の操作により係止爪を操作することにより解除可能であるため、所望の装着感、バランスに調節することができ、作業性も向上する。
【００３８】
本件出願の第６のヘルメット用ヘッドバンドには、上記各効果に加えて次のような効果がある。
（１）連結雌部と連結雄部とに、連結雄部の差込み端部を連結雄部の差込空間に差し込むための指掛け部が形成されたため、指掛け部に指を掛けることで、片手で調整操作を行うことができ、調整の度にヘルメットを脱がずに済んで便利であり、ヘルメットを被ったまま調節ができるので、所望の装着感、バランスに調節することができ、作業性も向上する。
【００３９】
本件出願のヘルメットには上記の各効果に加えて次のような効果がある。
（１）前記のヘルメット用ヘッドバンドをヘルメット本体の内側に備えるので、複数のバンドと周長調節部によってヘルメットの装着感やヘルメット内での頭部の重心の位置などを細かく調節したりでき、また、着用状態で着用者の額及び前頭部の汗を吸収可能であり、安定した装着感及びバランス感を得られ、汗によるべたつき感や不快感を感じさせず、目に汗も入らないヘルメットとして使用することができる。
（２）前頭部バンドが脱着可能であるため、作業中に吸汗材が濡れたら、別の吸汗材付の前頭部バンドと順次交換することができ、再びヘルメットとして着用することができるので、常に汗を吸収できる状態で作業を行うことができ、作業性も向上する。
【図面の簡単な説明】
【図１】本発明のヘルメット用ヘッドバンドの実施形態の一例を示す分解斜視図。
【図２】図１に示すヘッドバンドを備えたヘルメットの様子を示す説明平面図。
【図３】図１に示すヘッドバンドの前頭部バンドに吸汗材を取り付ける様子を示す斜視図。
【図４】（ａ）は、図１に示すヘッドバンドの周長調節部を示す斜視図。（ｂ）は、図１に示すヘッドバンドの周長調節部を示す断面図。
【符号の説明】
１  ヘッドバンド
２  バンド
２ａ  前頭部バンド
２ｂ  右側方後部バンド
２ｃ  左側方後部バンド
３  周長調節部
３ａ  連結雄部
３ｂ  連結雌部
４  ヘルメット本体
５  ハンモック
６  吸汗材
８  係止溝
１０  指掛け部
１５  （周長調節部）本体
１６  操作部
２４  係止爪
３０  差込み端部
３１  バックル
【図１】
2004292978.tif 000003
【図２】
2004292978.tif 000004
【図３】
2004292978.tif 000005
【図４】
2004292978.tif 000006